(57)【要約】【課題】手振れを起こすことなく特殊撮影を行なうことが出来るカメラを提供する。【解決手段】本発明に係るカメラは、撮影レンズ１、撮影レンズ１の焦点距離を変更することによってズーム倍率を変更するレンズ駆動回路６、ストロボ装置８、及びＡＳＩＣ４を具えている。該ＡＳＩＣ４は、特殊撮影モードが設定されている状態でユーザにより撮影操作が行なわれたとき、露光を開始すると共に、レンズ駆動回路６にズーム倍率の変更を指令した後、ストロボ装置８にストロボの発光を指令して、露光を終了する。【選択図】      図１
2004294603.tif 000002
【特許請求の範囲】
【請求項１】
撮影レンズと、撮影レンズの焦点距離を変更することによってズーム倍率を変更するズーム機構と、ストロボ装置と、ズーム機構及びストロボ装置の動作を制御する制御回路とを具え、特殊撮影モードの設定が可能なカメラにおいて、該制御回路は、
特殊撮影モードが設定されている状態でユーザにより撮影操作が行なわれたとき、露光を開始する露光開始制御手段と、
露光開始時、或いは露光開始後に、ズーム機構にズーム倍率の変更を指令するズーム変更制御手段と、
ズーム倍率の変更後、ストロボ装置にストロボの発光を指令するストロボ発光制御手段と、
ストロボの発光後、露光を終了する露光終了制御手段
とを具えていることを特徴とするカメラ。
【請求項２】
前記ズーム変更制御手段は、ズーム倍率の増大を指令する請求項１に記載のカメラ。
【請求項３】
前記ズーム変更制御手段は、前記変更指令動作を繰り返し実行し、前記ストロボ発光制御手段は、ズーム倍率が変更される度に前記ストロボ発光指令動作を実行する請求項１又は請求項２に記載のカメラ。
【発明の詳細な説明】
【０００１】
【発明の属する技術分野】
本発明は、ズーム機構とストロボ装置とを具えたカメラに関し、特に、特殊撮影を行なうことが可能なカメラに関するものである。
【０００２】
【従来の技術】
従来、ズーム機構やストロボ装置を具えた種々のカメラが知られている（例えば、特許文献１参照）。
ところで、夜間や屋内の暗い場所では、ストロボ装置を具えた従来のカメラを用いて後述の特殊撮影が行なわれることがある。
即ち、カメラを被写体の方向に向けて手に持ち、この状態でシャッターボタンを押下して露光を開始させた後、被写体に徐々に近づく。その後、被写体の撮影に適切な位置に到達すると、その時点でストロボを発光させた後、露光を終了させる。例えば、星空の下で人物を撮影した場合には、図３に示す如く、星が放射状の軌跡を描いたかの如き撮影画像が得られる。
【０００３】
【特許文献１】
特開２００２−３４４７８９号公報
【０００４】
【発明が解決しようとする課題】
しかしながら、従来のカメラを用いた上記特殊撮影時には、撮影者がカメラを手に持って被写体に近づかなければならないため、手振れが起こり、撮影画像全体がぼけて不鮮明となる問題があった。
本発明の目的は、手振れを起こすことなく特殊撮影を行なうことが出来るカメラを提供することである。
【０００５】
【課題を解決する為の手段】
本発明に係るカメラは、撮影レンズと、撮影レンズの焦点距離を変更することによってズーム倍率を変更するズーム機構と、ストロボ装置と、ズーム機構及びストロボ装置の動作を制御する制御回路とを具え、特殊撮影モードの設定が可能である。そして、該制御回路は、
特殊撮影モードが設定されている状態でユーザにより撮影操作が行なわれたとき、露光を開始する露光開始制御手段と、
露光開始時、或いは露光開始後に、ズーム機構にズーム倍率の変更を指令するズーム変更制御手段と、
ズーム倍率の変更後、ストロボ装置にストロボの発光を指令するストロボ発光制御手段と、
ストロボの発光後、露光を終了する露光終了制御手段
とを具えている。
【０００６】
上記本発明に係るカメラを用いて特殊撮影を行なわんとする際には、撮影者は、撮影操作に先立って、カメラ本体を特殊撮影モードに設定する。
夜間や屋内の暗い場所で、カメラの向きを被写体の方向に設定して撮影操作を行なうと、露光が開始されて星や街頭のネオンサイン等の発光体から発せられる光の取込みが開始され、同時或いはその後に、ズーム機構にズーム倍率の変更が指令されてズーム倍率が変更される。続いてストロボが発光されて、被写体にて反射した光が取り込まれた後、露光が終了する。この結果、被写体の周囲に存在する星やネオンサイン等の発光体が放射状の軌跡を描いたかの如き撮影画像が得られることになる。
上述の如く、特殊撮影モードが設定されている状態では、露光中にズーム倍率が変更されるので、ユーザは一定位置でカメラを持っていればよく、手振れを起こすことなく特殊撮影を行なうことが出来る。
【０００７】
具体的には、前記ズーム変更制御手段は、ズーム倍率の増大を指令する。これによって、被写体の画像が大きい撮影画像を得ることが出来る。
【０００８】
又、具体的には、前記ズーム変更制御手段は、前記変更指令動作を繰り返し実行し、前記ストロボ発光制御手段は、ズーム倍率が変更される度に前記ストロボ発光指令動作を実行する。
【０００９】
上記具体的構成においては、ズーム倍率が変更される度に、ストロボが発光されて被写体にて反射した光が取り込まれるので、被写体の輪郭がぼやけた撮影画像を得ることが出来る。
【００１０】
【発明の効果】
本発明に係るカメラによれば、手振れを起こすことなく特殊撮影を行なうことが出来る。
【００１１】
【発明の実施の形態】
以下、本発明をデジタルカメラに実施した形態につき、図面に沿って具体的に説明する。
図１に示す如く、本発明に係るデジタルカメラにおいては、撮影レンズ（１）からＣＣＤ（２）に取り込まれた画像光線は、ＣＣＤ（２）によって光電変換される。これによって得られた映像信号は、映像信号処理回路（３）に供給されて所定の信号処理を受けた後、ＡＳＩＣ（Ａｐｐｌｉｃａｔｉｏｎ  Ｓｐｅｃｉｆｉｃ  Ｉ．Ｃ．）（４）に供給され、ＡＳＩＣ（４）によってメモリカード（５）に書き込まれる。
上述の撮影レンズ（１）にはレンズ駆動回路（６）が接続される一方、ＣＣＤ（２）にはＣＣＤ駆動回路（７）が接続されている。これらの駆動回路（６）（７）は、前記ＡＳＩＣ（４）に接続されており、ＡＳＩＣ（４）によって動作が制御されている。レンズ駆動回路（６）は、ＡＳＩＣ（４）からの制御信号に応じて撮影レンズ（１）の焦点距離を変更する。これによって、ズーム倍率が変更される。
ＡＳＩＣ（４）には、ストロボ装置（８）が接続されており、ＡＳＩＣ（４）によってストロボ装置（８）の動作が制御されている。又、ＡＳＩＣ（４）には、シャッターボタン（９）が接続されている。
【００１２】
本発明に係るデジタルカメラは、通常撮影モードと２種類の特殊撮影モードの３つのモード間で切換え設定が可能であって、撮影者は、撮影に先立って、３つのモードの内、何れかのモードを設定する。
図２は、上記デジタルカメラにおいて実行される撮影手続きを表わしている。尚、上記デジタルカメラは、機械式シャッターを具えている。
先ずステップＳ１にて、シャッターボタン（９）が押下されたか否かを判断し、ノーと判断された場合はステップＳ１にて同じ判断を繰り返す一方、イエスと判断された場合には、ステップＳ２に移行して、前記３つのモードの内、何れのモードが設定されているかを判別する。通常撮影モードが設定されている場合にはステップＳ３に移行して、従来と同様の通常撮影動作を実行した後、ステップＳ１に戻ってシャッターボタン（９）の押下に待機する。
【００１３】
第１特殊撮影モードが設定されている場合には、ステップＳ４に移行して、機械式シャッターを開いて露光を開始し、次にステップＳ５にて、ズーム倍率を所定の大きさだけ増大させた後、ステップＳ６では、ズーム倍率が所定の閾値ＴＨ１を上回ったか否かを判断し、ノーと判断された場合はステップＳ５に戻って、ズーム倍率の増大処理を繰り返す。
その後、ズーム倍率が所定の閾値ＴＨ１を上回ると、ステップＳ６にてイエスと判断されてステップＳ７に移行し、ストロボを発光させる。最後にステップＳ８では、機械式シャッターを閉じて露光を終了すると共に、ＣＣＤ（２）から映像信号処理回路（３）に対する映像信号の供給を開始した後、ステップＳ１に戻ってシャッターボタン（９）の押下に待機する。
【００１４】
第２特殊撮影モードが設定されている場合には、ステップＳ９に移行して、機械式シャッターを開いて露光を開始した後、ステップＳ１０にて、ズーム倍率を所定の大きさだけ増大させる。次にステップＳ１１にて、ストロボを発光させた後、ステップＳ１２では、ズーム倍率が所定の閾値ＴＨ２を上回ったか否かを判断し、ノーと判断された場合はステップＳ１０に戻って、ズーム倍率の増大処理及びストロボの発光処理を繰り返す。
その後、ズーム倍率が所定の閾値ＴＨ２を上回ると、ステップＳ１２にてイエスと判断されてステップＳ１３に移行し、機械式シャッターを閉じて露光を終了すると共に、ＣＣＤ（２）から映像信号処理回路（３）に対する映像信号の供給を開始した後、ステップＳ１に戻ってシャッターボタン（９）の押下に待機する。
【００１５】
上記デジタルカメラを第１特殊撮影モードに設定した状態で、該カメラを被写体に向けてシャッターボタン（９）を押下すると、露光が開始されて星や街頭のネオンサイン等の発光体から発せられる光の取込みが開始された後、ズーム倍率が徐々に増大する。その後、ズーム倍率が所定の閾値ＴＨ１まで増大すると、その時点でストロボが発光されて、被写体にて反射した光が取り込まれた後、露光が終了する。例えば、星空の下で人物を撮影した場合には、図３に示す従来の特殊撮影画像と同様に、星が放射状の軌跡を描いたかの如き撮影画像が得られることになる。
一方、上記デジタルカメラを第２特殊撮影モードに設定した状態でシャッターボタン（９）を押下した場合には、ズーム倍率が所定の大きさだけ増大する度に、ストロボが発光されて被写体にて反射した光が取り込まれ、その後、ズーム倍率が所定の閾値ＴＨ２まで増大した時点で露光が終了する。この結果、発光体が放射状の軌跡を描いたかの如き撮影画像であって被写体の輪郭がぼやけた撮影画像が得られることになる。
尚、上述の撮影効果は、屋内の暗い場所で撮影を行なった場合においても得ることが出来る。
【００１６】
本発明に係るデジタルカメラにおいては、第１特殊撮影モード或いは第２特殊撮影モードが設定されている状態では、露光中にズーム倍率が変更されるので、撮影者は一定位置でカメラを持っていればよく、手振れを起こすことなく特殊撮影を行なうことが出来る。
【００１７】
尚、本発明の各部構成は上記実施の形態に限らず、特許請求の範囲に記載の技術的範囲内で種々の変形が可能である。
例えば、上記実施の形態においては、本発明をデジタルカメラに実施しているが、これに限らず、銀塩方式のカメラに実施することも可能である。
又、露光中にズーム倍率を増大させる構成を採用しているが、ズーム倍率を減小させる構成を採用することも可能である。
【図面の簡単な説明】
【図１】本発明に係るデジタルカメラの構成を表わすブロック図である。
【図２】上記デジタルカメラにおいて実行される撮影手続きを表わすフローチャートである。
【図３】特殊撮影によって得られる撮影画像を表わす図である。
【符号の説明】
（１）  撮影レンズ
（２）  ＣＣＤ
（３）  映像信号処理回路
（４）  ＡＳＩＣ
（５）  メモリカード
（６）  レンズ駆動回路
（７）  ＣＣＤ駆動回路
（８）  ストロボ装置
（９）  シャッターボタン
【図１】
2004294603.tif 000003
【図２】
2004294603.tif 000004
【図３】
2004294603.tif 000005